(57)【要約】【構成】取り付け装置により、幼児用ブランコシートのハンガーチューブを、シート本体のブランコ運動を駆動する駆動機構のピボット部材に即座に接続できる。ブランコシート本体の円形部分を含む対向する取り付け部材の形状のため、ハンガーチューブを対応する受け取り部材上に、あるいはその中に滑らすだけで、簡単に取り付けることができる。クイック切り離し装置が、ハンガーチューブと受け取り部材との間を自動的に係合し、これらを確実に接続する。シート本体を取り外すさいには、クイック切り離し装置を解放し、フレーム本体からシート本体を持ち上げるだけでよい。一つの実施態様では、線形の側部部分を楔形に構成して、着座および駆動接続を確実にし、ハンガーチューブにトルクを伝達する。【選択図】図１０
2008521498.tif 000002
【特許請求の範囲】
【請求項１】
シート部材、およびこのシート部材を高い位置から吊り下げるために上記シート部材に取り付けた一対のハンガー部材を有するシート本体、
上記シート部材を支持して上記フレーム本体に対してブランコ運動させるフレーム本体、
上記シート本体の左右の対向側において上記フレーム本体に取り付けたハンガーハウジングであって、各ハンガーハウジングが上記ハンガーハウジングの外側に延長するピボット部材を有する一対のハンガーハウジング、および
各ハンガー部材の先端に支持した取り付け端部、および各ハンガーハウジングに支持し、上記取り付け端部に対応する形状をもつ受け取り部材を有するハンガーマウントからなることを特徴とする幼児用ブランコ。
【請求項２】
上記ハンガーマウントに円形上部部分と線形側部部分とを設け、上記駆動モータによって上記ピボット部材に伝達されるトルクを上記ハンガー部材に伝達して、上記シート本体を往復運動させる請求項１記載の幼児用ブランコ。
【請求項３】
さらに、上記取り付け端部と上記の対応する受け取り部材との係合を選択的に保持する保持装置を上記ハンガーマウントに一体的に形成した請求項２記載の幼児用ブランコ。
【請求項４】
上記保持装置が、保持クリップ、および上記取り付け端部および上記受け取り部材それぞれに設けた保持クリップ受け取り部材を有する請求項３記載の幼児用ブランコ。
【請求項５】
上記取り付け端部を上記受け取り部材に設けたときに自動的に上記保持クリップおよび上記保持クリップ受け取り部材が係合する請求項４記載の幼児用ブランコ。
【請求項６】
上記受け取り部材それぞれが対応する上記取り付け端部内に形成されたポケットに受け取られるように、上記取り付け端部を上記受け取り部材上に滑らすことによって上記受け取り部材に上記取り付け端部を設けた請求項５記載の幼児用ブランコ。
【請求項７】
ハンガーハウジング内に支持した駆動モータにハンガー部材を接続するために幼児用ブランコに使用するハンガーマウントであって、上記ハンガー部材が、駆動モータがトルクを往復運動シート本体にトルクを伝達して往復運動を起こす往復運動シート本体部分を形成するハンガーマウントにおいて、
上記駆動モータと連動係合する上記ハンガーハウジングに設けた受け取り部材であって、円形上部部分と線形側部部分とを有する受け取り部材、および
上記ハンガー部材の先端に設けた取り付け端部からなり、
上記取り付け端部が、上記受け取り部材に対応して円形上部部分と線形側部部分とを有し、上記取り付け端部が、上記円形上部部分がそれぞれ相互に係合するように、上記受け取り部材に係合でき、上記受け取り部材の上記線形側部部分および上記取り付け端部が係合して、上記駆動モータから上記相互係合受け取り部材および取り付け端部を介して上記ハンガー部材へ伝達するトルクの伝達を容易にしたことを特徴とするハンガーマウント。
【請求項８】
さらに、相互係合する上記受け取り部材および上記取り付け端部に応答して保持装置が係合するように、上記受け取り部材および上記取り付け端部の両者と連動する保持装置を有する請求項８記載のハンガーマウント。
【請求項９】
上記取り付け端部に、形状的に対応する関係で上記受け取り部材を受け取るポケットを形成した請求項８記載のハンガーマウント。
【請求項１０】
上記取り付け端部を上記受け取り部材の上部に設けてこれらの間を係合する請求項９記載のハンガーマウント。
【請求項１１】
上記保持装置が、保持クリップ、および上記取り付け端部および上記受け取り部材それぞれに設けた保持クリップ受け取り部材を有する請求項８記載のハンガーマウント。
【請求項１２】
上記取り付け端部を上記受け取り部材に設けたときに自動的に上記保持クリップおよび上記保持クリップ受け取り部材が係合する請求項１１記載のハンガーマウント。
【請求項１３】
上記受け取り部材に、形状的に対応する関係で上記取り付け端部を受け取るポケットを形成した請求項８記載のハンガーマウント。
【請求項１４】
上記受け取り部材の上記線形側部部分および上記取り付け端部を非平行に設けて、楔形状を構成した請求項１３記載のハンガーマウント。
【請求項１５】
フレーム本体に対して往復運動できるようにシート本体を支持するフレーム本体を有する幼児用ブランコであって、上記フレーム本体が、上記シート本体のブランコ運動を駆動する駆動モータを支持した駆動ハンガーハウジングを含む、一対の左右対向ハンガーハウジングを有し、そして上記シート本体がシート部材に接続され、かつ上向きに延長して上記ハンガーハウジングに係合し、これを支持する一対のハンガー部材を有する幼児用ブランコにおいて、
それぞれピボット部材に連動係合する上記各ハンガーハウジングに受け取り部材を設けて上記シート本体のブランコ運動を容易にし、そして上記ピボット部材のうち一つを上記駆動モータに連動接続し、上記受け取り部材の形状を非円形構成にし、
取り付け端部を上記各ハンガー部材の先端に設け、上記取り付け端部が、対応する上記受け取り部材に係合するサイズの非円形形状構成を有し、上記取り付け端部および上記受け取り部材を形状的に係合する関係で選択的に係合可能に構成して、上記駆動モータから上記相互係合した対応する受け取り部材および取り付け端部を介する上記ハンガー部材へのトルクの伝達を容易にしたことを特徴とする幼児用ブランコ。
【請求項１６】
上記非円形形状構成が、上記受け取り部材および上記取り付け端部の両者において円形上部部分および線形側部部分を有する請求項１５記載の幼児用ブランコ。
【請求項１７】
さらに、相互係合する上記受け取り部材および上記取り付け端部に応答して保持装置が係合するように、上記受け取り部材および上記取り付け端部の両者と連動する保持装置を有する請求項１６記載の幼児用ブランコ。
【請求項１８】
上記受け取り部材に、形状的に対応する関係で上記取り付け端部を受け取るポケットを形成し、上記取り付け端部を上記受け取り部材の上部に設けてこれらの間を係合できるようにした請求項１７記載の幼児用ブランコ。
【請求項１９】
上記保持装置が、上記取り付け端部および上記受け取り部材それぞれに設けられた保持クリップおよび保持クリップ受け取り部材を有し、そして上記取り付け端部を上記受け取り部材に設けたときに自動的に上記保持クリップおよび上記保持クリップ受け取り部材が係合する請求項１８記載の幼児用ブランコ。
【請求項２０】
上記受け取り部材の上記線形側部部分および上記取り付け端部を非平行に設けて、楔形状を構成した請求項１７記載の幼児用ブランコ。
【発明の詳細な説明】
【技術分野】
【０００１】
本出願は、２００４年１１月２９日に出願された、米国仮特許出願第６０/６３１，４６２号の優先権を主張する出願である。この番号を引用することによって、この仮特許出願の内容全体を援用するものとする。
本発明は、全体としては、幼児用ブランコのフレームに関する。より具体的には、本発明は、利用しやすく、かつ電動機を使用してトルクをハンガー部材に伝達し、ハンガー部材を確実にブランコ運動させることができるようにしたハンガーマウント構造に関する。
【０００２】
幼児用ブランコは、あくまでも幼児をなだめ、あやすために幼児の保護者によって使用されるものである。幼児用ブランコは、主に、床より高い位置に幼児を安全に保持するシート、およびこのシートを支持し、例えば前後方向にシートをブランコ運動させるフレーム装置からなるものであるが、一部の幼児用シートの場合には、左右方向にもブランコ運動できるようになっている。
【背景技術】
【０００３】
さらに具体的に説明すると、従来から存在している第１の幼児用ブランコは、幼児の頭上に延設した支持構造体が形成され、かつこの頭上にある支持構造体を高い位置に保持する左右の対向支持脚部によって支持されたフレームから吊り下げたシートからなる。この頭上支持構造体の場合、幼児の頭の真上では物理的な障害になるため、シートに座っている幼児に手を伸ばすことが制限される。このような幼児用ブランコは、Ｄａｎｉｅｌ  Ｐｉｎｃｈなどを発明者とし、１９９４年４月４日に発行された米国意匠特許第Ｄ３４５，７７７号に開示されている。この頭上支持構造は、ブランコに座っている幼児に頭上から手を伸ばすさい障害になるだけでなく、幼児を見るさいにも障害になる。
【０００４】
上記頭上支持構造の障害問題の解決策として、“頭上開放式”幼児用ブランコが開発されている。Ｌｏｕｉｓ  Ｋｏｈｕｓ、Ｊａｍｅｓ  Ｍａｒｉｏｌを発明者とし、１９８９年４月１８日に発行された米国特許第４，８２２，０３３号に開示されているように、頭上支持構造を取り外して、シートに座っている幼児に頭上から自由に手を伸ばすことができる。しかし、特に、幼児が支持脚部間で前後にブランコするさい、幼児は、左右の対向支持脚部のいずれかを掴むことができため、ブランコをしている幼児と支持脚部の一つが接触すると、負傷の危険がある。さらに、特に幼児が安全ベルトによってシート内に正しく位置していない場合には、幼児自身が支持脚部の一つを掴み、前方に身を乗り出し、シートから飛び出す潜在的な危険が常に存在する。
【０００５】
上記の頭上開放式幼児用ブランコの場合、フレーム構造、即ちブランコシートの前方に設けた支持脚部を取り除いて、幼児が左右にブランコ運動できるように構成されている。このような左右にブランコ運動できる幼児用ブランコは、Ｌｏｕｉｓ  Ｋｏｈｕｓ、Ｊａｍｅｓ  Ｍａｒｉｏｌを発明者とし、１９８９年４月１８日に発行された前記米国特許第４，８２２，０３３号に開示されている。この従来の幼児用ブランコは、頭上が開放し、左右も開放している構成になっているため、シート内の幼児をシートのほぼ任意の位置から見ることができ、また手を伸ばすことができる。
【０００６】
従来利用されている幼児用ブランコのほとんどのブランコ運動は、シートの上から左右に揺れる振り子の運動と同じである。このブランコ運動は機械的なばね作動式ぶらんこ機構によって維持できるが、最新式のブランコの多くは、ブランコ運動を、例えば、フレーム構造によって支持されたシートピボットの一つに隣接して設けた小形の電動機によって維持する。この電動機の電源は、電動機と同じハウジング内に設けた乾電池群である。フレーム支持体から幼児用シートをブランコ運動させる電池作動式モータの実例は、Ｄａｎｉｅｌ  Ｍｉｔｃｈｅｌｌなどを発明者とし、１９９６年６月１１日に発行された米国特許第５，５２５，１１３号、およびＤａｎｉｅｌ  Ｐｉｎｃｈなどを発明者とし、１９９８年１１月１０日に発行された米国特許第５，８３３，５４５号に開示されている。
【０００７】
現在出回っている幼児用ブランコは、ブランコのピボット部材の一体的部分として組み込まれているハンガーチューブを受け取り部材に挿入する構成の装置を利用する。この場合には、ねじ、ボルト/ナット、ばね負荷式ボタンなどの機械的ファスナーを使用してハンガーチューブを受け取り部材に保持する。このような取り付け装置の場合、ファスナーが組み立て時に正確に取り付けられているかを消費者が確認しなければならないが、これは、ハンガーチューブ内の孔の位置と受け取り部材内の対応する孔の位置の位置合わせが大切なため、難しいことが多い。ブランコシートがピボット部材からはずれ落下する危険があるため、このような取り付け装置を適切に取り付けることは極めて重要である。また、フレーム体からブランコシートを取りはずことも手間のかかる作業である。というのは、これらファスナーは取り外した後、ブランコを再度組み立てるさいに再使用できるようにするために保存しておく必要があるからである。
【０００８】
従って、ブランコを直感的、効率的に組み立て、解体できる幼児用ブランコのシート体の取り付け装置が望まれている。
【特許文献１】米国意匠特許第Ｄ３４５，７７７号
【特許文献２】米国特許第４，８２２，０３３号
【特許文献３】米国特許第５，５２５，１１３号
【特許文献４】米国特許第５，８３３，５４５号
【発明の開示】
【発明が解決しようとする課題】
【０００９】
本発明の目的は、従来技術の前記問題を解決する幼児用ブランコのハンガー取り付け装置を提供することである。
【課題を解決するための手段】
【００１０】
本発明の特徴は、ブランコのピボット部材上の受け取り部材の構成に対応した構成のハンガーチューブを形成したこと点にある。
【００１１】
本発明の別な特徴は、ハンガーチューブおよびフレーム支持受け取り部材にそれぞれ丸い上部および楔形部分を形成して、係合するようにした点にある。
【発明の効果】
【００１２】
係合したハンガーチューブとフレーム取り付け受け取り部材が、シート体のブランコ運動の電源となる電動機に接続されたピボット部材からトルクを有効に伝達できることが本発明の作用効果である。
【００１３】
また、ハンガーチューブおよびフレーム取り付け受け取り部材の構成に係合をすばやく解除する装置（クイック切り離し装置）を使用して、ハンガーチューブのフレーム取り付け部材の接続を選択的に切り離すことが本発明の別な作用効果である。
【００１４】
ハンガーチューブをフレーム取り付け受け取り部材への取り付けを消費者が直感的に行うことができ、これを簡単に利用できるようにしたことが本発明の別な作用効果である。
【００１５】
ハンガーチューブをピボット部材受け取り部材上に滑らせてこれを固着するだけで、ハンガーチューブをフレーム体に取り付けることが本発明のさらに別な作用効果である。
【００１６】
ブランコシートのモータの被駆動機構にハンガーチューブを確実に接続するためにファスナーは必要ないことが本発明のさらに別な作用効果である。
【００１７】
本発明のさらに別な特徴は、取り付け部材を楔形に構成しているため、ハンガーチューブとフレーム取り付け受け取り部材との相互結合を確実にできる点にある。
【００１８】
本発明のさらに別な特徴は、ブランコ本体のハンガーチューブをシートのブランコ運動の駆動機構のピボット部材上に接続する取り付け装置において、構成が頑丈な上に、製造コストが低く、保守点検が必要なく、組み立ても簡単で、しかも使用が簡単かつ効率のより装置を提供する点にある。
【００１９】
本発明によれば、これら、およびその他の目的、特徴および作用効果は、幼児用ブランコのシート本体のハンガーチューブをシート本体のブランコ運動を駆動する駆動機構のピボット部材に即座に接続できる取り付け装置を提供することによって実現できる。円形状上部部分および線形側部部分を含む対応する取り付け部材の形状ため、ハンガーチューブを対応する受け取り部材上に、あるいはその中に滑らすだけでブランコシート本体の直感による効率のよい取り付け装置を実現できる。クイック切り離し装置が、ハンガーチューブと受け取り部材との間を自動的に係合し、これらを確実に接続する。シート本体を取り外すさいには、クイック切り離し装置を解放し、フレーム本体からシート本体を持ち上げるだけでよい。一つの実施態様では、線形の側部部分を楔形に構成して、着座および駆動接続を確実にし、ハンガーチューブにトルクを伝達する。
【発明を実施するための最良の形態】
【００２０】
本発明の作用効果は、特に添付図面を参照して以下の発明の詳しい説明を読めば明らかになるはずである。
【００２１】
以下、本発明の原理を採用したフレーム装置からなる幼児用ブランコを添付図面について説明する。図６から最良の構成が理解できるように、幼児用ブランコ１０は、主構成パーツとして、フレーム本体１２からなり、このフレーム本体１２は一対の左右に離間した後脚１５および対応する一対の前脚１７、および前後にブランコ運動できるようにフレーム本体１２から吊り下げたシート本体２０を有する。シート本体２０は、以下詳しく説明するように、成型シート部材２２、および後脚１５のカンチレバー式端部に配置した対応するハンガーハウジング２７、２８に接続した一対の左右に離間したハンガー２５を有する。
【００２２】
ここで図1〜図６について説明すると、フレーム本体１２には、一対の左右に対向する後脚１５を形成する。これら後脚１５は、後方の支持位置から上方かつ前方に延長し、その曲率は下向きかつ前向きな凹曲率である。後脚１５の高い位置にある先端には、上部ハンガーハウジング２７、２８を形成する。ハンガーハウジング２８の一つには、シート本体２０の前後方向のブランコ運動を駆動する電動機２９を収容する。後脚１５の曲率が、ハンガーハウジング２７、２８を高いカンチレバー位置に設定する見た目にも感じのよい形状を与え、ハンガーハウジング２７、２８の直下には構造物はない。
【００２３】
対応する一対の湾曲前脚１７を前後の位置を後脚１５に合わせた状態で後脚１５の前方に設ける。この前脚１７は、前方の支持位置から後方かつ上方に延長し、中心点で対応する後脚１５と交差する。各後脚１５の中心点には前脚１７を後脚１７に着脱自在に接続できるクイック接続機構１９によって対応する前脚１７を接続する取り付けハウジング１８、３０を取り付ける。前脚１７の曲率を上向きかつ前向き曲率に設定しているため、前脚１７が、ハンガーハウジング２７、２８の下に実質的な構造物を与えることはない。後脚１５および前脚１７の対応する曲率が、フレーム本体１２の側部を開放構成にするため、ハンガーハウジング２７、２８から吊り下げたシート本体２０に手を伸ばすことができる。
【００２４】
前脚１７は、湾曲前脚１７および後脚１５に対応する湾曲形状に構成するのが好ましい、成型加工した前部横支柱１４によって連結し、従って見た目にも感じのよい外観を与える。同様に、左右の対向後脚１５も、後部横支柱部材１３によって連結し、シート本体２０に位置した幼児の前後のブランコ運動に伴う力に対抗して、吊り下げたシート本体２０を安定に支持する。成型加工した前部横支柱１４に曲率があるため、従来前脚間に設けられていたチューブ状の構造部材は必要ない。また、形状が後方に湾曲しているため、保護者がシート本体２０に手を伸ばして、幼児をシート部材２２に乗せたり、あるいは降ろすことができ、この場合、従来の幼児用ブランコに設けられている前部横支柱が邪魔になったり、あるいはこれを跨いだりする必要はない。
【００２５】
シート本体２０は、成型シート部材２２を有する。この部材については、ＣｕｒｔｉｓＭ．Ｈａｒｔｅｎｓｔｉｎｅなどによって２００５年１１月１７日に出願された米国特許出願第１１/＊＊＊＊＊＊号に具体的に記されている。この言及によって、この出願の記載内容全体を援用するものとする。シート部材２２は、シート本体に座っている幼児を通常の安全拘束具（図示省略）で固定し、前後にブランコ運動させる支持構造体である。シート部材２２は、シート部材２２に接続し、前方に凹形状を呈する湾曲ハンガー２５によってハンガーハウジング２７、２８から支持する。この結果、ハンガー２５の湾曲形状が、対応する前後脚１７、１５の対向する湾曲形状とあいまって、ハンガーハウジング２７、２８の下に構造物のない構成に寄与し、シート部材２２に手を伸ばすことができる側部が開放した構成を実現することができる。
【００２６】
図５Ａに最良の形態を示すように、前後脚１７、１５を構成する構造部材は、楕円形のチューブ状部材で構成する。好ましくは、図８に示すように、矢印３９によって示すシート本体１２のブランコ運動に垂直な方向よりも、矢印３８によって示すシート本体１２のブランコ運動に平行な方向において寸法が大きい楕円形にロール状加工したチューブ状アルミニウムから構成する。この横断面が楕円形の構成をもつ構造フレーム部材は、材料の量が同じでも、通常の横断面が円形構成のフレームよりもブランコ運動に対する抵抗力がより強いフレームになる。
【００２７】
後脚１７の上部先端を連結する構造部材のない左右に離間したハンガーハウジング２７、２８により、フレーム本体１２を上部が開放した構成にできる。一方、湾曲ハンガー２５とともに湾曲前後脚１５、１７により、フレーム本体１２を側部が開放した構成にすることができる。従って、フレーム本体１２に邪魔されることなく、保護者は、シート部材２２に位置している幼児にシート本体２０の上から、正面から、または側部から手を伸ばすことができる。フレーム１２を形成するこれらの対応する湾曲形状が、シート本体２０およびそこに位置している幼児への物理的アクセス、視覚的アクセスを改善するものである。
【００２８】
フレーム本体１２へのシート本体２０の取り付けは、ハンガーマウント４０を使用して行う。このハンガーマウント４０は、ハンガーチューブ２５の端部にある雄形取り付け  端部４２、および電動機２９と連動するピボット部材３２に取り付けられ、ハンガーハウジング２８を通って外側に延長してシート本体２０に前後のブランコ運動を与える雌形受け取り部材４７を有する。雄形取り付け部材４２には、楔形状を構成するために、円形の上部部分４３およびテーパ状側部部分４４を形成する。同様に、雌形受け取り部材４７は、形成されたスロット４８内に雄形取り付け端部４２を受け取る形状に構成する。取り付け部材４２、４７をテーパ状に構成しているため、両部材を確実に係合でき、かつ電動機２９からピボット部材３２を介してハンガーチューブ２５にトルクを有効に伝達でき、シート本体２０を前後にブランコ運動させることができる。
【００２９】
クイック切り離し保持部材４５をハンガーマウント４０に組み込み、雄形取り付け端部４２を雌形受け取り部材４５に保持することが好ましい。このクイック切り離し保持部材４５は多くの形を取ることができ、例えばそのうちの一つは、図９に最良の形態を示すように、取り付け端部４２内に受け取られるボール４５である。このボール４５の場合、取り付け端部４２内の保持ハウジングに隙間のある状態で嵌合できる。ヒンジ式作動レバー４６を保持ハウジングに圧入すると、その形状は、ボール４５が取り付け端部の面に対して突出位置に固定される形状になる。この場合、突出したボール４５が雌形受け取り部材４７に形成した溝４９に係合でき、雄形取り付け端部４２を受け取り部材４７のスロット４８に保持する。フレーム本体１２からハンガーチューブ２５を切り離す場合には、作動レバー４６を持ち上げるだけでよく、こうすると、ボール４５が保持ハウジングに戻り、溝４９から開放される。当業者ならば、他の保持部材も使用することができ、例えばばね（図示省略）による力とともに取り付け端部４２、受け取り部材４７を保持するばね負荷式保持ボール４５を使用することができることを理解できるはずである。
【００３０】
ハンガーマウント５０の好ましい第２形態については、図１０および図１１にその最良の形態を示す。電動機２９からハンガーハウジング２８を介して延長するピボット部材３２に雄形受け取り部材５２を固定する。上記のハンガーマウント４０の第１実施態様の場合と同様に、雄形受け取り部材５２には、円形の上部部分５８を形成し、取り付け端部５５と受け取り部材５２との連結を容易にする。同じく、上記のハンガーマウント４０の第１実施態様と同様に、受け取り部材５２には、電動機２９からハンガーチューブ２５へのトルクの伝達を容易にする線形側部部分５９を形成し、ブランコシート本体２０のブランコ運動を行う。また、ハンガーチューブ２５の端部の雌形取り付け端部５５には、受け取り部材５２に対して形状的に対応する関係で受け取る大きさ、形状のポケットを形成すると、取り付け端部５５を雄形受け取り部材５２の上部に簡単にスリップさせることができる。
【００３１】
保持部材の好ましい形態は、雄形受け取り部材５２の底部に形成した保持クリップ５３である。この保持クリップ５３は、取り付け端部５５の底部に形成した受け取り部材５６に係合し、これにロックする。受け取り部材５２からシート本体２０を取り外す場合には、まず取り付け端部５５を掴み、保持クリップ受け取り部材５６を曲げて、保持クリップ５３を受け取り部材５６から分離する。この場合、取り付け端部５５は上向きに滑り、対応する受け取り部材５２から外れ、フレーム本体１２から引き離される。
【００３２】
ハンガーマウントの第１、第２実施態様４０、５０の上記説明は、フレーム本体１２の駆動側を反映するものである。例えば、２つのハンガーハウジング２７、２８については、一方のハンガーハウジング２８に電動機２９を設け、ピボット部材（図示省略）のみを支持してシート本体２０をブランコ運動させる“ダミー”として他方のハンガーハウジング２７を使用するようにこれらを配設する。対向する“ダミー”ハンガーハウジング２７については、ピボット部材（図示省略）を駆動しない点を除けば、電動機ハウジング２８と実質的に同じ構成とする。
【００３３】
なお、本発明の特徴を説明するために以上記載かつ図示した各パーツの細部、材質、配設などについては変更が可能であり、また当業者ならば、本発明の原理および範囲内で以上の説明から変更は可能なはずである。以上の記載は、本発明の好適な実施態様を説明するものであるが、以上の説明に基づく考え方は、本発明の範囲から逸脱しなくても、他の実施態様において利用可能である。
【図面の簡単な説明】
【００３４】
【図１】本発明の原理を採用したフレーム装置を有する幼児用ブランコの正面図である。
【図２】図１に示した幼児用ブランコの上面図である。
【図３】図１および図２に示した幼児用ブランコの右側面図である。
【図４】図１および図２に示した幼児用ブランコの左側面図である。
【図５】図１および図２に示した幼児用ブランコの左正面斜視図である。
【図５Ａ】前脚または後脚のいずれかに対応するフレーム部材を示す図であって、フレーム部材の楕円形横断面形状を示す拡大横断面図である。
【図６】幼児用ブランコをよりコンパクトな出荷輸送、保管用の構成に分解した幼児用ブランコを主構成パーツの展開図である。
【図７】ハンガーチューブ上の雄形取りつけ部材の第１実施態様の拡大斜視図である。
【図８】フレーム体の後脚のうち一方の高い位置にある先端におけるハンガーハウジング内に支持した駆動モータのピボット部材に設けられた雌形受け取り部材の第１実施態様を示す拡大斜視図である。
【図９】図７および図８に示した取り付け部材の第１実施態様に組み込んだクイック切り離し装置の細部を示す横断面図である。
【図１０】フレーム体の後脚のうち一方の高い位置にある先端におけるハンガーハウジング内に支持した駆動モータのピボット部材上の受け取り部材を形成する雄形取り付け部材の第２実施態様を示す拡大斜視図である。
【図１１】図１０に示した雄形部材に係合するハンガーチューブの端部に形成された雌形取りつけ部材の第２実施態様を示す拡大斜視図である。
【符号の説明】
【００３５】
１０：幼児用ブランコ、
１２：フレーム本体、
１５：後脚、
１７：前脚、
２０：シート本体、
２２：シート部材、
２５：ハウジング、
２７、２８：ハンガーハウジング、
４０：ハンガーマウント、
４２：雄形取り付け端部、
４５：ボール、
４７：雌形受け取り部材、
４８：スロット。
【図１】
2008521498.tif 000003
【図２】
2008521498.tif 000004
【図３】
2008521498.tif 000005
【図４】
2008521498.tif 000006
【図５】
2008521498.tif 000007
【図５Ａ】
2008521498.tif 000008
【図６】
2008521498.tif 000009
【図７】
2008521498.tif 000010
【図８】
2008521498.tif 000011
【図９】
2008521498.tif 000012
【図１０】
2008521498.tif 000013
【図１１】
2008521498.tif 000014
【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
シート部材、およびこのシート部材を高い位置から吊り下げるために上記シート部材に取り付けた一対のハンガー部材を有するシート本体、
上記シート部材を支持して上記フレーム本体に対してブランコ運動させるフレーム本体、
上記シート本体の左右の対向側において上記フレーム本体に取り付けた一対のハンガーハウジングであって、各ハンガーハウジングが上記ハンガーハウジングの外側に延長するピボット部材を有する一対のハンガーハウジング、および
各ハンガー部材の先端に支持した取り付け端部、および各ハンガーハウジングに支持し、上記取り付け端部に対応する形状をもつ受け取り部材を有し、上記形状が、上記駆動モータによって上記ピボット部材に伝達されるトルクを上記ハンガー部材に伝達して、上記シート部材をブランコ運動させるように線形側部部分を有する、ハンガーマウントからなることを特徴とする幼児用ブランコ。
【請求項２】
上記ハンガーマウントが円形上部部分を有する請求項１記載の幼児用ブランコ。
【請求項３】
さらに、上記取り付け端部と上記の対応する受け取り部材との係合を選択的に保持する保持装置を上記ハンガーマウントに一体的に形成した請求項２記載の幼児用ブランコ。
【請求項４】
上記保持装置が、保持クリップ、および上記取り付け端部および上記受け取り部材それぞれに設けた保持クリップ受け取り部材を有する請求項３記載の幼児用ブランコ。
【請求項５】
上記取り付け端部を上記受け取り部材に設けたときに自動的に上記保持クリップおよび上記保持クリップ受け取り部材が係合する請求項４記載の幼児用ブランコ。
【請求項６】
上記受け取り部材それぞれが対応する上記取り付け端部内に形成されたポケットに受け取られるように、上記取り付け端部を上記受け取り部材上に滑らすことによって上記受け取り部材に上記取り付け端部を設けた請求項５記載の幼児用ブランコ。
【請求項７】
ハンガーハウジング内に支持する駆動モータにハンガー部材を接続するために幼児用ブランコに使用するハンガーマウントであって、上記ハンガー部材が、駆動モータがトルクを往復運動シート本体にトルクを伝達して往復運動を起こす往復運動シート本体部分を形成するハンガーマウントにおいて、
上記駆動モータと連動係合する上記ハンガーハウジングに設けた受け取り部材であって、円形上部部分と線形側部部分とを有する受け取り部材、および
上記ハンガー部材の先端に設けた取り付け端部からなり、
上記取り付け端部が、上記受け取り部材に対応して円形上部部分と線形側部部分とを有し、上記取り付け端部が、上記円形上部部分がそれぞれ相互に係合するように、上記受け取り部材に係合でき、上記受け取り部材の上記線形側部部分および上記取り付け端部が係合して、上記駆動モータから上記相互係合受け取り部材および取り付け端部を介して上記ハンガー部材へ伝達するトルクの伝達を容易にしたことを特徴とするハンガーマウント。
【請求項８】
さらに、相互係合する上記受け取り部材および上記取り付け端部に応答して保持装置が係合するように、上記受け取り部材および上記取り付け端部の両者と連動する保持装置を有する請求項７記載のハンガーマウント。
【請求項９】
上記取り付け端部に、形状的に対応する関係で上記受け取り部材を受け取るポケットを形成した請求項８記載のハンガーマウント。
【請求項１０】
上記取り付け端部を上記受け取り部材の上部に設けてこれらの間を係合する請求項９記載のハンガーマウント。
【請求項１１】
上記保持装置が、保持クリップ、および上記取り付け端部および上記受け取り部材それぞれに設けた保持クリップ受け取り部材を有する請求項８記載のハンガーマウント。
【請求項１２】
上記取り付け端部を上記受け取り部材に設けたときに自動的に上記保持クリップおよび上記保持クリップ受け取り部材が係合する請求項１１記載のハンガーマウント。
【請求項１３】
上記受け取り部材に、形状的に対応する関係で上記取り付け端部を受け取るポケットを形成した請求項８記載のハンガーマウント。
【請求項１４】
上記受け取り部材の上記線形側部部分および上記取り付け端部を非平行に設けて、楔形状を構成した請求項１３記載のハンガーマウント。
【請求項１５】
フレーム本体に対して往復運動できるようにシート本体を支持するフレーム本体を有する幼児用ブランコであって、上記フレーム本体が、上記シート本体のブランコ運動を駆動する駆動モータを支持した駆動ハンガーハウジングを含む、一対の左右対向ハンガーハウジングを有し、そして上記シート本体がシート部材に接続され、かつ上向きに延長して上記ハンガーハウジングに係合し、これを支持する一対のハンガー部材を有する幼児用ブランコにおいて、
それぞれピボット部材に連動係合する上記各ハンガーハウジングに受け取り部材を設けて上記シート本体のブランコ運動を容易にし、上記ピボット部材の一つを上記駆動モータに連動接続し、そして上記受け取り部材の形状を、少なくともひとつの線形側部部分を有する非円形構成にし、
取り付け端部を上記各ハンガー部材の先端に設け、上記取り付け端部が、対応する上記受け取り部材に係合するサイズで、上記受け取り部材の少なくとも一つの線形側部部分に対して係合する線形側部部分を有する非円形形状構成を有し、上記対応する取り付け端部および上記受け取り部材を形状的に係合する関係で選択的に係合可能に構成して、上記駆動モータから上記相互係合した対応する受け取り部材および取り付け端部を介する上記ハンガー部材へのトルクの伝達を容易にしたことを特徴とする幼児用ブランコ。
【請求項１６】
上記非円形形状構成が、上記受け取り部材および上記取り付け端部の両者において円形上部部分を有する請求項１５記載の幼児用ブランコ。
【請求項１７】
さらに、相互係合する上記受け取り部材および上記取り付け端部に応答して保持装置が係合するように、上記受け取り部材および上記取り付け端部の両者と連動する保持装置を有する請求項１６記載の幼児用ブランコ。
【請求項１８】
上記受け取り部材に、形状的に対応する関係で上記受け取り部材を受け取るポケットを形成し、上記取り付け端部を上記受け取り部材の上部に設けてこれらの間を係合できるようにした請求項１７記載の幼児用ブランコ。
【請求項１９】
上記保持装置が、上記取り付け端部および上記受け取り部材それぞれに設けられた保持クリップおよび保持クリップ受け取り部材を有し、そして上記取り付け端部を上記受け取り部材に設けたときに自動的に上記保持クリップおよび上記保持クリップ受け取り部材が係合する請求項１８記載の幼児用ブランコ。
【請求項２０】
上記受け取り部材の上記線形側部部分および上記取り付け端部を非平行に設けて、楔形状を構成した請求項１７記載の幼児用ブランコ。
【国際調査報告】
2008521498.tif 000015